(57)【要約】      （修正有）【課題】情報機器をリモコンとして利用し、情報機器と操作対象機器のリンクを確実に行うことが可能な情報機器を提供する。【解決手段】情報機器は、操作を行う機器の周辺画像である第１の周辺画像を取得し、予め前記機器と関連付けて記憶する第１の周辺画像取得手段を備える。また、操作を行う機器の周辺を撮像し、第２の周辺画像を取得する第２の周辺画像取得手段を備える。また、前記第１の周辺画像と前記第２の周辺画像を比較し、一致する対象物が含まれると判別される場合は前記第１の周辺画像に予め関連付けられた機器を、操作を行う対象の機器として設定する設定手段を備える。【選択図】図７
2012119935.tif 000002
【特許請求の範囲】
【請求項１】
操作を行う機器の周辺画像である第１の周辺画像を取得し、予め前記機器と関連付けて記憶する第１の周辺画像取得手段と、
操作を行う機器の周辺を撮像し、第２の周辺画像を取得する第２の周辺画像取得手段と、
前記第１の周辺画像と前記第２の周辺画像を比較し、一致する対象物が含まれると判別される場合は前記第１の周辺画像に予め関連付けられた機器を、操作を行う対象の機器として設定する設定手段を備える情報機器。
【請求項２】
前記第２の周辺画像は、動画または複数の静止画を撮像することにより取得される請求項１に記載の情報機器。
【請求項３】
前記第１の周辺画像と前記第２の周辺画像が一致しない場合は、前記設定手段とは異なる第２の設定手段によって操作対象機器を設定する請求項１に記載の情報機器。
【請求項４】
前記第１の周辺画像と前記機器との関連を登録する登録手段をさらに備える請求項１に記載の情報機器。
【請求項５】
前記対象機器の設定に連動し、前記設定された操作対象機器に対して信号を出力する信号出力手段をさらに備える請求項１に記載の情報機器。
【請求項６】
前記請求項５に記載の情報機器から出力された信号を受信し、この信号受信に応じた出力を行う操作対象機器。
【請求項７】
操作を行う機器の周辺画像である第１の周辺画像を取得し、予め前記機器と関連付けて記憶するステップと、
操作を行う機器の周辺を撮像し、第２の周辺画像を取得するステップと、
前記第１の周辺画像と前記第２の周辺画像を比較し、一致する対象物が含まれると判別される場合は前記第１の周辺画像に予め関連付けられた機器を、操作を行う対象の機器として設定するステップを備える操作方法。
【発明の詳細な説明】
【技術分野】
【０００１】
本発明の実施形態は、例えば、コンテンツの保存や配信を行うレコーダ等のサーバ機器や映像を表示出力する映像出力装置等の機器をその操作の対象とする情報機器に関する。
【背景技術】
【０００２】
現在、家庭内において、例えば１つの部屋にレコーダやＴＶ等の複数の機器が配置されることが多くなっている。
これらの複数の機器にはそれぞれの機器を操作するリモートコントローラ（リモコン）等が構成されることが一般的である。
これら複数の機器毎に逐次リモコンを操作することはユーザにとって煩雑であり、複数の機器操作を１つのリモコンで操作したいという要求があった。
また、近年、無線で他の機器と通信可能なスマートフォンやスレート端末等の情報機器が普及し、これらの情報機器を例えば無線リモコンとして利用できる環境が整いつつある。
【０００３】
しかし、情報機器を無線リモコンとして利用する際に、情報機器とこの情報機器に操作される操作対象機器を結びつける作業は煩雑であり、この作業に費やされるユーザの負担を軽減したいという要望があった。
【０００４】
また、情報機器とこの情報機器に操作される操作対象機器のリンクを誤ると、例えば、所望しない他の部屋の機器を誤って操作してしまうことがあり、情報機器と操作対象機器のリンクを確実に行いたいという要望があった。
【先行技術文献】
【特許文献】
【０００５】
【特許文献１】特開２００７−１１６２７０号公報
【発明の概要】
【発明が解決しようとする課題】
【０００６】
情報機器をリモコンとして利用する際に、情報機器と操作対象機器を結びつける作業は煩雑であり、ユーザの負担を軽減することが課題となっていた。
また、情報機器と操作対象機器のリンクを確実に行うことが課題となっていた。
【課題を解決するための手段】
【０００７】
実施形態の情報機器は、操作を行う機器の周辺画像である第１の周辺画像を取得し、予め前記機器と関連付けて記憶する第１の周辺画像取得手段を備える。
また、操作を行う機器の周辺を撮像し、第２の周辺画像を取得する第２の周辺画像取得手段を備える。
また、前記第１の周辺画像と前記第２の周辺画像を比較し、一致する対象物が含まれると判別される場合は前記第１の周辺画像に予め関連付けられた機器を、操作を行う対象の機器として設定する設定手段を備える。
【図面の簡単な説明】
【０００８】
【図１】実施形態の情報機器に係わるシステムを示す図。
【図２】実施形態に係わる情報機器の構成を示すブロック図。
【図３】実施形態に係わる情報機器において、操作対象として選択可能な機器情報のテーブルを示す図。
【図４】実施形態に係わる情報機器において、操作対象として選択可能な機器を選択可能に表示する例を示す図。
【図５】実施形態に係わる情報機器を用い、リモコン操作中に操作対象機器の周辺画像を撮像するようすを示す図。
【図６】実施形態に係わる情報機器において、リモコン操作対象機器の周辺画像またはその部屋の特徴を撮像するようすを示す図。
【図７】実施形態に係わる情報機器において、周辺画像と機器情報と機器画像を関連付けた情報テーブルを示す図。
【図８】実施形態に係わる情報機器において、リモコン操作対象機器を特定するために撮像を行うようすを示す図。
【図９】実施形態に係わる情報機器において、対象機器をユーザに指定可能に表示するようすを示す図。
【図１０】実施形態に係わる情報機器において、対象機器をユーザに指定可能に表示するようすの他の例を示す図。
【図１１】実施形態に係わる情報機器において、撮影することにより対象機器を選択する例を示す図。
【図１２】実施形態に係わる情報機器において、対象機器が単数の場合の、画像と対象機器情報を関連付けて保存するようすを説明するフローチャート。
【図１３】実施形態に係わる情報機器において、対象機器が単数の場合の、ユーザのリモコン操作を説明するフローチャート。
【図１４】実施形態に係わる情報機器において、対象機器が複数の場合の、画像と対象機器情報を関連付けて保存するようすを説明するフローチャート。
【図１５】実施形態に係わる情報機器において、対象機器が複数の場合の、ユーザのリモコン操作を説明するフローチャート。
【発明を実施するための形態】
【０００９】
以下、図面を参照し、実施の形態を説明する。
図１は、実施形態の情報機器に係わるシステムを示す図である。
符号１０１はサーバ機器（レコーダ）、符号１０２はルータ、符号１０４は映像表示出力デバイス１（ＴＶ１）、符号１０５は映像表示出力デバイス２（ＴＶ２）、符号７０００は情報機器、符号７００１は撮像部（カメラ）である。
【００１０】
ここでは、ルータ１０２を介し、サーバ機器（レコーダ）１０１、映像表示出力デバイス１（ＴＶ１）１０４、映像表示出力デバイス２（ＴＶ２）１０５、情報機器７０００が無線接続されている。
【００１１】
そして、この実施の形態においては、情報機器７０００の一例として携帯端末を用いている。情報機器７０００は無線リモコンとして動作し、サーバ機器（レコーダ）１０１、映像表示出力デバイス１（ＴＶ１）１０４、映像表示出力デバイス２（ＴＶ２）１０５を操作する。なお、情報機器７０００は撮像部（カメラ）７００１を内蔵している。
【００１２】
例えば、サーバ機器１０１に記録されたコンテンツを、無線リモコン７０００を使用して再生操作を行い、映像出力デバイス１（ＴＶ１）１０４や映像出力デバイス２１０５に表示し、ユーザはコンテンツを視聴する。
【００１３】
ここではサーバ機器１０１はコンテンツの保存・配信を行う映像録画再生装置（レコーダ）、映像出力デバイス１（１０４）および映像出力デバイス２（１０５）は映像や音を出力するＴＶである。
【００１４】
また、無線リモコン７０００はリモコンアプリケーションを搭載する。無線リモコン７０００の一例として、例えば、カメラを内蔵するスマートフォンやスレート端末等の携帯端末を用いることが可能である。
【００１５】
無線リモコンを用いて再生操作を行う場合は、操作対象となるサーバ機器と出力デバイスを選択し、設定する必要がある。また、操作対象機器であるサーバ機器１０１、出力デバイス１、出力デバイス２は複数構成することも可能である。
【００１６】
図２は、実施形態に係わる情報機器の構成を示すブロック図である。
ここでは、情報機器７０００の一例として携帯端末を用いて説明する。
携帯端末７０００は、データ送受信部７００を備える。またユーザ操作処理部７０１を備える。
携帯端末７０００は表示画面に表示された操作ボタンに連動したタッチセンサー（図示せず）を備えており、例えばユーザがこの操作ボタンを操作することにより、携帯端末７０００が操作される。ユーザ操作により発生した操作信号は、ユーザ操作処理部７０１で把握される。
【００１７】
操作のために画面が必要な場合、この携帯端末７０００は、液晶或いはＬＥＤのタッチパネル式の表示部を有し、操作画面を起動することができる。また操作画面の各種の画像内容、画像提供（画像拡大、縮小等）、画像切り替え等は、操作入力に応じて端末画面表示処理部７０２により制御される。
【００１８】
また、電話に関する信号は、電話信号処理部７０３により処理される。
携帯端末７０００は、映像編集処理部７１１、時間情報処理部７１２を備えている。
例えば、映像編集処理部７１１を用いることにより、ユーザは映像出力デバイス１（ＴＶ１）１０４を見ながら、この携帯端末７０００を用い、サーバ機器１０１から所望のタイトルの映像情報を読出し、編集処理を行うことができる。このように、映像編集処理部７１１は、サーバ機器１０１に対し、映像編集用のコマンドを送信するアプリケーションを構成する。これにより携帯端末７０００は、無線リモコンとして利用可能になる。
【００１９】
また、携帯端末７０００内の各ブロックは、統括制御ブロック７３０によって、統括的に制御される。例えば、ブロック間の相互の入出力データが衝突しないように、統括制御ブロック７０３は、各ブロック動作シーケンスの調停を行っている。
【００２０】
また、携帯端末７０００は、特に図示しないが、携帯端末７０００の前面及び背面にカメラを内蔵しており、例えば、携帯端末７０００が天井等を自動的に撮影する場合は前面のカメラを利用し、ユーザが手動で撮像する場合は背面のカメラを利用するように構成することが可能である。
【００２１】
図３は、実施形態に係わる情報機器において、操作対象として選択可能な機器情報のテーブルを示す図である。
この実施の形態においては、情報機器７０００は無線リモコンとして利用する場合に、例えば、情報機器７０００がリモコン操作の対象機器として利用可能な機器を、ネットワークを介して取得することが可能である。
【００２２】
そして、取得された機器情報を、例えば、図３に示すようにユーザが選択可能な機器として情報テーブルを作成することが可能である。
符号２１は周辺画像、符号２２は情報機器、符号２３は機器画像である。
上記のようにユーザが選択可能な機器の情報が取得され、情報機器２２の項に記載される。ここでは、情報機器７０００を無線リモコンとして利用する場合にユーザが選択可能な機器として取得された機器情報は、ＴＶ１情報、ＴＶ２情報、ＴＶ３情報、レコーダ１情報、レコーダ２情報、レコーダ３情報である。
【００２３】
この時点では、周辺画像２１と機器画像２３の項には、情報は取得されていない。周辺画像２１と機器画像２３については、後述する。
この情報テーブルは、例えば、情報機器７０００内部のメモリ７４２に記憶される。
図４は、実施形態に係わる情報機器において、操作対象として選択可能な機器を選択可能に表示する例を示す図である。
ここでは、情報機器７０００の表示画面７００２に、上記ネットワークを介して取得された操作対象として選択可能な機器がユーザに選択可能にリスト表示される。
ここでは、選択可能機器リストが表示されている。上記のように、ＴＶ１、ＴＶ２、ＴＶ３、レコーダ１、レコーダ２、レコーダ３が表示される。
また、これらの選択可能機器リストの隣に、それぞれタッチセンサーに連動した選択部が表示される。
ＴＶ１の隣にはタッチ選択７０００ａ、ＴＶ２の隣にはタッチ選択７０００ｂ、ＴＶ３の隣にはタッチ選択７０００ｃ、レコーダ１の隣にはタッチ選択７０００ｄ、レコーダ２の隣にはタッチ選択７０００ｅ、レコーダ３の隣にはタッチ選択７０００ｆがそれぞれ表示され、ユーザはこれらに触れることで、機器を選択することが可能である。
【００２４】
ここでは、ユーザがタッチ選択７０００ａおよびタッチ選択７０００ｄに触れ、ＴＶ１およびレコーダ１がリモコン操作機器として選択されている。
後述するように、この選択結果は、情報テーブルとして情報機器７０００内部のメモリ７４２に機器情報２２として記憶される。
図５は、実施形態に係わる情報機器を用い、リモコン操作中に操作対象機器の周辺画像を撮像するようすを示す図である。
ここで周辺画像について説明する。周辺画像はリモコン操作を行う対象機器の周辺の画像である。例えば、操作対象機器の背景や天井、あるいは操作対象機器が置かれている場所の特徴的なもの等である。
【００２５】
この実施の形態においては、例えば、リモコン操作対象機器がある場所（例えば部屋）の天井を、操作対象機器の周辺画像として、例えばリモコン操作中に自動的に撮像し、予め操作機器と関連付けて登録する。
【００２６】
また、この周辺画像は、ユーザが手動で撮像することも可能である。このとき、例えば、ユーザによって花１１ａ、および花１１ｂがこの部屋の特徴として撮像され、予め操作機器と関連付けて登録する。
【００２７】
後述するように、この情報は、情報テーブルとして例えば、情報機器７０００内部のメモリ７４２に周辺画像２１として記憶される。
この実施の形態においては、ユーザが無線リモコン７０００を操作した場合に、図に示すように、撮像部（カメラ）７００１は上向きとなる。
したがって、ここでは、操作対象機器の周辺画像として天井が撮像され、模様１０ａ、１０ｂ、１０ｃ、１０ｄ、１０ｅ等が撮像され、登録される。
また、ここでの撮像は、例えば一定時間の動画または複数の静止画が撮像される。
図６は、実施形態に係わる情報機器において、リモコン操作対象機器の周辺画像またはその部屋の特徴を撮像するようすを示す図である。
例えば、ユーザが手動でリモコン操作対象機器の周辺画像またはその部屋の特徴を撮像する。
ここでは、リモコン操作対象機器であるＴＶ１（１０４）やレコーダ１（１０１）等のリモコン操作対象機器、あるいはＴＶ１（１０４）やレコーダ１（１０１）等のリモコン操作対象機器の背景を含む画像がユーザによって撮像され、登録される。
【００２８】
後述するように、この情報は、情報テーブルとして情報機器７０００内部のメモリ７４２に機器画像２３として記憶される。
図７は、実施形態に係わる情報機器において、周辺画像と機器情報と機器画像を関連付けた情報テーブルを示す図である。
上記のように、機器情報２２、周辺画像２１、機器画像２３が取得され、図７に示すように、情報テーブルが作成され、情報機器７０００内部のメモリ７４２に予め記憶される。
【００２９】
ここでは、機器情報２２はＴＶ１とレコーダ１、周辺画像２１は上記天井画像データ、機器画像２３は上記ＴＶ１とレコーダ１の機器画像データである。
図８は、実施形態に係わる情報機器において、リモコン操作対象機器を特定するために撮像を行うようすを示す図である。
この実施の形態においては、無線リモコンとして用いる情報機器７０００は、リモコン操作対象機器を特定するため、リモコン操作対象機器が存在する場所で撮像を行う。
【００３０】
この撮像は、ユーザが情報機器７０００を操作する際に、このユーザ操作に連動して、自動的に行われても良いし、ユーザが手動で撮像を行っても良い。また、この撮像は、上記と同様に、例えば一定時間の動画または複数の静止画が撮像される。
【００３１】
ここでは、ユーザが情報機器７０００を操作する。このとき、撮像部７００１は図に示すように上向きである。すると、このユーザ操作に連動し、上向きの撮像部７００１は天井を撮像し、ＴＶ１（１０４）やレコーダ１（１０１）の周辺画像を取得する。
【００３２】
そして、この実施の形態においては、上記のように予め、ＴＶ１（１０４）やレコーダ１（１０１）等の操作を行う機器の周辺画像である第１の周辺画像を取得し、予め操作を行う機器と関連付けて記憶する。
【００３３】
また、上記のように、操作を行う機器の周辺を撮像し、第２の周辺画像を取得する。
そして、第１の周辺画像と第２の周辺画像を比較し、第１の周辺画像と第２の周辺画像に一致する対象物（例えば上記模様１０ａ、１０ｂ、１０ｃ、１０ｄ、１０ｅ等）が含まれるか否かを判別する。
【００３４】
そして、第１の周辺画像と第２の周辺画像に一致する対象物が含まれると判別される場合は、上記のように第１の周辺画像に予め関連付けられた機器を、操作を行う対象の機器として設定する。  また、この実施の形態においては、上記のように自動的に周辺画像を取得して登録する場合、例えば、一定時間の動画または複数の静止画を取得するように構成することが望ましい。
【００３５】
このように構成することにより、取得された周辺画像を自動的に認識する際に、上記と同様に、動画または静止画の１枚でも同じものがあって場合に、一致する対象物が含まれると見なすことができる。
【００３６】
図９は、実施形態に係わる情報機器において、対象機器をユーザに指定可能に表示するようすを示す図である。
例えば、操作を行う対象の機器としてＴＶ１（１０４）とレコーダ１（１０１）の２つの機器が設定された場合、ユーザはどちらの操作を行うかを指定する必要がある。
【００３７】
ここでは、ユーザが指定しやすいように、情報機器７０００の表示画面７００２に操作対象機器を選択するための操作対象機器選択リストを表示する。
そしてここでは、タッチセンサーにより、例えば、ユーザがタッチ選択７０００ｇにタッチする（触れる）ことにより、ＴＶ１を選択することができる。また、ユーザがタッチ選択７０００ｈにタッチする（触れる）ことにより、レコーダ１を選択することができる。
【００３８】
図１０は、実施形態に係わる情報機器において、対象機器をユーザに指定可能に表示するようすの他の例を示す図である。
ここでは、図７に示す周辺画像と機器情報と機器画像を関連付けた情報テーブルを用い、機器画像２３を表示する。
機器画像２３は、図に示すように、情報機器７０００の表示画面７００２に機器の画像が表示される。ユーザは、表示されたこの機器画像にタッチする（触れる）ことで、操作対象機器を選択することができる。
【００３９】
例えば、ユーザがタッチ選択７０００ｉにタッチする（触れる）ことにより、ＴＶ１（１０４）を選択することができる。また、ユーザがタッチ選択７０００ｊにタッチする（触れる）ことにより、レコーダ１（１０１）を選択することができる。
【００４０】
図１１は、実施形態に係わる情報機器において、撮影することにより対象機器を選択する例を示す図である。
上記と同様に、図７に示す周辺画像と機器情報と機器画像を関連付けた情報テーブルを用い、機器画像２３を表示する。
機器画像２３には、図に示すように、情報機器７０００の表示画面７００２に機器の画像が表示される。
符号７０００ｋは、選択する機器を撮影する範囲を示す撮影選択である。
ユーザは、表示されたこの機器画像の撮影選択７０００ｋによって表示された範囲の機器を撮像することで、この撮像された機器が操作対象機器として選択される。ここでは、ＴＶ１（１０４）が選択される。
【００４１】
図１２は、実施形態に係わる情報機器において、対象機器が単数の場合の、画像と対象機器情報を関連付けて保存するようすを説明するフローチャートである。
符号Ｓ１００は、ここでの開始ステップである。続いて、符合Ｓ１０１を付したステップへ進む。
ステップＳ１０１は、リモコン操作を行う対象機器（ＴＶ、レコーダ等）を抽出し、選択登録するステップである。続いて、ステップＳ１０２へ進む。
ステップＳ１０２は、周辺画像を自動的に記録するかを判別するステップである。周辺画像を自動的に記録する場合はステップＳ１０３へ進む（ステップＳ１０２のＹｅｓ）。周辺画像を自動的に記録しない場合はステップＳ１０４へ進む（ステップＳ１０２のＮｏ）。
【００４２】
ステップＳ１０３は、自動で、機器周辺の画像である周辺画像を記録するステップである。続いて、ステップＳ１０５へ進む。
ステップＳ１０４は、手動で、周辺画像を記録するステップである。続いて、ステップＳ１０５へ進む。
ステップＳ１０５は、周辺画像と操作を行う機器を関連付けて保存するステップである。続いて、ステップＳ１０６へ進む。
ステップＳ１０６は、機器（ＴＶ等）に向け、発光コマンドを出力するステップである。続いて、ステップＳ１０７へ進む。
ステップＳ１０７は、コマンドを受信した機器（ＴＶ等）は発光するステップである。続いて、ステップＳ１０８へ進む。
ステップＳ１０８は、終了ステップであり、ここでの処理は終了する。
図１３は、実施形態に係わる情報機器において、対象機器が単数の場合の、ユーザのリモコン操作を説明するフローチャートである。
符号Ｓ２００は、ここでの開始ステップである。続いて、符合Ｓ２０１を付したステップへ進む。
ステップＳ２０１は、情報機器（リモコン）７０００のアプリケーションを起動するステップである。続いて、ステップＳ２０２へ進む。
ステップＳ２０２は、情報機器（リモコン）７０００はリモコン操作対象機器の周辺を撮像し、リモコン操作対象機器の周辺画像を取得するステップである。続いて、ステップＳ２０３へ進む。
【００４３】
ステップＳ２０３は、上記取得された周辺画像は、予め登録された周辺画像と一致する対象物が含まれるかを判別するステップである。取得された周辺画像が、予め登録された周辺画像と一致する対象物が含まれると判別される場合はステップＳ２０４へ進む（Ｓ２０３のＹｅｓ）。取得された周辺画像が、予め登録された周辺画像と一致対象物が含まれると判別されない場合はステップＳ２０５へ進む（Ｓ２０３のＮｏ）。
【００４４】
ステップＳ２０４は、情報機器（リモコン）７０００が自動的に、登録済みの機器（予め取得された周辺画像に関連付けられた機器）を操作機器として設定するステップである。続いて、ステップＳ２０６へ進む。
【００４５】
ステップＳ２０５は、ユーザが情報機器（リモコン）７０００を操作し、上記のように手動で、リモコン操作対象機器を選択、設定するステップである。続いて、ステップＳ２０６へ進む。
【００４６】
ステップＳ２０６は、情報機器（リモコン）７０００が機器（ＴＶ等）に向け、発光コマンドを出力するステップである。続いて、ステップＳ２０７へ進む。
ステップＳ２０７は、情報機器（リモコン）７０００から出力されたコマンドを受信したリモコン操作対象機器（ＴＶ等）が発光するステップである。これにより、リモコン操作対象機器（ＴＶ等）が情報機器（リモコン）７０００によって操作可能な状態になったことがわかる。
【００４７】
続いて、ステップＳ２０８へ進む。
ステップＳ２０８は、ユーザが情報機器（リモコン）７０００を操作し、設定された機器のリモコン操作を開始するステップである。続いて、ステップＳ２０９へ進む。
【００４８】
ステップＳ２０９は、終了ステップであり、ここでの処理は終了する。
図１４は、実施形態に係わる情報機器において、対象機器が複数の場合の、画像と対象機器情報を関連付けて保存するようすを説明するフローチャートである。
符号Ｓ３００は、ここでの開始ステップである。続いて、符合Ｓ３０１を付したステップへ進む。
ステップＳ３０１は、リモコン操作対象機器（ＴＶ、レコーダ等）を例えばネットワークを介して抽出し、選択登録を行うステップである。続いて、ステップＳ３０２へ進む。
【００４９】
ステップＳ３０２は、周辺画像を自動的に記録するかを判別するステップである。周辺画像を自動的に記録すると判別される場合はステップＳ３０３へ進む（Ｓ３０２のＹｅｓ）。周辺画像を自動的に記録しないと判別される場合はステップＳ３０４へ進む（Ｓ３０２のＮｏ）。
【００５０】
ステップＳ３０３は、情報機器（リモコン）７０００が自動的に周辺画像を記録するステップである。続いて、ステップＳ３０７へ進む。
ステップＳ３０４は、記録は周辺画像だけかを判別するステップである。記録は周辺画像だけと判別される場合はステップＳ３０５へ進む（Ｓ３０４のＹｅｓ）。記録は周辺画像だけと判別されない場合はステップＳ３０６へ進む（Ｓ３０４のＮｏ）。
【００５１】
ステップＳ３０６は、ユーザが情報機器（リモコン）７０００を操作し、手動で、周辺画像と機器画像を記録するステップである。続いて、ステップＳ３０７へ進む。
【００５２】
ステップＳ３０７は、図７に示すように、周辺画像および機器画像と機器を関連付けてメモリ７４２へ保存するステップである。続いて、ステップＳ３０８へ進む。
ステップＳ３０８は、ＴＶ等の操作される機器に向け、発光コマンドを出力するステップである。続いて、ステップＳ３０９へ進む。
ステップＳ３０９は、コマンドを受信した機器（ＴＶ等）が発光するステップである。続いて、ステップＳ３１０へ進む。
ステップＳ３１０は、終了ステップであり、ここでの処理は終了する
図１５は、実施形態に係わる情報機器において、対象機器が複数の場合の、ユーザのリモコン操作を説明するフローチャートである。
符号Ｓ４００は、ここでの開始ステップである。続いて、符合Ｓ４０１を付したステップへ進む。
ステップＳ４０１は、情報機器（リモコン）７０００のアプリケーションを起動するステップである。続いて、ステップＳ４０２へ進む。
ステップＳ４０２は、情報機器（リモコン）７０００が機器の周辺を撮像し、機器の周辺画像を取得するステップである。続いて、ステップＳ４０３へ進む。
ステップＳ４０３は、周辺画像は予め機器と関連付けられ登録された周辺画像と一致する対象物が含まれかを判別するステップである。周辺画像は予め機器と関連付けられ登録された周辺画像と一致する対象物が含まれると判別される場合はステップＳ４０４へ進む（Ｓ４０３のＹｅｓ）。周辺画像は予め機器と関連付けられ登録された周辺画像と一致しないと判別される場合はステップＳ４０５へ進む（Ｓ４０３のＮｏ）。
【００５３】
ステップＳ４０４は、画像は周辺画像だけかを判別するステップである。画像は周辺画像だけだと判別される場合はステップＳ４０６へ進む（Ｓ４０４のＹｅｓ）。画像は周辺画像だけだと判別されない場合はステップＳ４０７へ進む（Ｓ４０４のＮｏ）。
【００５４】
ステップＳ４０５は、ユーザが情報機器（リモコン）７０００を操作し、リモコン操作対象機器を選択、設定するステップである。続いて、ステップＳ４０８へ進む。
【００５５】
ステップＳ４０６は、情報機器（リモコン）７０００が、自動的に登録リストから機器を選択、設定するステップである。続いて、ステップＳ４０８へ進む。
ステップＳ４０７は、ユーザが情報機器（リモコン）７０００を操作し、手動で、周辺画像に対応する機器を選択、設定するステップである。続いて、ステップＳ４０８へ進む。
【００５６】
ステップＳ４０８は、情報機器（リモコン）７０００が機器（ＴＶ等）に向け、発光コマンドを出力するステップである。続いて、ステップＳ４０９へ進む。
ステップＳ４０９は、情報機器（リモコン）７０００から出力されたコマンドを受信した機器（ＴＶ等）が発光するステップである。これにより、この機器は情報機器（リモコン）７０００に操作可能になったことがわかる。続いて、ステップＳ４１０へ進む。
【００５７】
ステップＳ４１０は、ユーザが情報機器（リモコン）７０００を操作し、設定された機器のリモコン操作を開始するステップである。続いて、ステップＳ４１１へ進む。
【００５８】
ステップＳ４１１は、終了ステップであり、ここでの処理は終了する。
上記のように構成することによって、この発明の実施の形態においては、情報機器をリモコンとして利用する際の、ユーザの負担を軽減することが可能になる。
また、情報機器と操作対象機器のリンクを確実に行うことが可能になる。
なお、上記実施形態は、記述そのものに限定されるものではなく、実施段階では、その趣旨を逸脱しない範囲で、構成要素を種々変形して具体化することが可能である。
【符号の説明】
【００５９】
２１…周辺画像、２２…情報機器、２３…機器画像、１０１…サーバ機器（レコーダ）、１０２…ルータ、１０４…映像表示出力デバイス１（ＴＶ１）、１０５…映像表示出力デバイス２（ＴＶ２）、７００…データ送受信部、７０１…ユーザ処理装置、７０３…電話信号処理部、７１１…映像編集処理部、７１２…時間情報処理部、７４１…データセーブ処理部、７４２…メモリ、７３０…統括ブロック、７０００…情報機器（無線リモコン）、７００１…撮像部（カメラ）、７００２…表示画面。
【図１】
2012119935.tif 000003
【図２】
2012119935.tif 000004
【図３】
2012119935.tif 000005
【図４】
2012119935.tif 000006
【図５】
2012119935.tif 000007
【図６】
2012119935.tif 000008
【図７】
2012119935.tif 000009
【図８】
2012119935.tif 000010
【図９】
2012119935.tif 000011
【図１０】
2012119935.tif 000012
【図１１】
2012119935.tif 000013
【図１２】
2012119935.tif 000014
【図１３】
2012119935.tif 000015
【図１４】
2012119935.tif 000016
【図１５】
2012119935.tif 000017